(57)【要約】    【課題】  記録媒体の装着状態若しくは記録媒体の種類に応じて適切な記録モードを自動的に設定できるようにする。    【解決手段】取得した画像データを第１の媒体装着手段１１３に装着された第１の記録媒体１１４および第２の媒体装着手段１１５に装着された第２の記録媒体１１６のうち一方に記録する第１の記録動作と、該取得した画像データを第１および第２の記録媒体１１４，１１６の双方に記録する第２の記録動作とを行う記録手段１１７と、第１および第２の記録動作のうち前記記録手段に行わせる記録動作を設定する設定手段１３６，１３７と、第１および第２の媒体装着手段のそれぞれに記録媒体が装着されているか否かを検出する検出手段１３６，１３７とを有する。そして、設定手段１３６，１３７は、検出手段１１７による検出状態に応じて上記記録動作の設定を制御する。    【選択図】  図８
2005176264.tif 000002
【特許請求の範囲】
【請求項１】
それぞれ記録媒体の装着が可能な第１および第２の媒体装着手段と、
画像データを取得する画像データ取得手段と、
前記取得した画像データを前記第１の媒体装着手段に装着された第１の記録媒体および前記第２の媒体装着手段に装着された第２の記録媒体のうち一方に記録する第１の記録動作と、前記取得した画像データを前記第１および第２の記録媒体の双方に記録する第２の記録動作とを行う記録手段と、
前記第１および第２の記録動作のうち前記記録手段に行わせる記録動作を設定する設定手段と、
前記第１および第２の媒体装着手段のそれぞれに前記記録媒体が装着されているか否かを検出する検出手段とを有し、
前記設定手段は、前記検出手段による検出状態に応じて前記記録動作の設定を制御することを特徴とする電子機器。
【請求項２】
前記設定手段は、前記記録動作の設定後に前記検出状態が変化したときに、該変化後の検出状態に応じて前記記録動作の設定を制御することを特徴とする請求項１に記載の電子機器。
【請求項３】
前記設定手段は、前記検出手段により前記第１および第２の媒体装着手段のうち一方に前記記録媒体が装着されていることが検出されたときは、前記第１の記録動作を設定することを特徴とする請求項１又は２に記載の電子機器。
【請求項４】
前記設定手段は、前記検出手段により前記第１および第２の媒体装着手段のうち一方に前記記録媒体が装着されていることが検出されたときは、前記第２の記録動作の設定を禁止することを特徴とする請求項１又は２に記載の電子機器。
【請求項５】
前記第１の記録動作と前記第２の記録動作のうち一方を使用者に選択させる選択手段を有し、
前記設定手段は、前記検出手段により前記第１および第２の媒体装着手段の双方に前記第１および第２の記録媒体が装着されていることが検出されたときは、前記選択手段による前記記録動作の設定を許可することを特徴とする請求項１又は２に記載の電子機器。
【請求項６】
前記設定手段は、前記検出手段により前記第１および第２の媒体装着手段の双方に前記第１および第２の記録媒体が装着されていることが検出された場合において、前記第１および第２の記録媒体のうち少なくとも一方が磁気記録媒体であるときは、前記第２の記録動作を設定することを特徴とする請求項１又は２に記載の電子機器。
【請求項７】
前記設定手段は、前記検出手段により前記第１および第２の媒体装填手段の双方に前記第１および第２の記録媒体が装着されていることが検出された場合において、前記第１および第２の記録媒体を比較し、該比較結果に応じて前記記録動作の設定を制御することを特徴とする請求項１又は２に記載の電子機器。
【請求項８】
前記設定手段は、前記比較結果として前記第１および第２の記録媒体のうち一方が他方と異なる種類の記録媒体であるときは、前記第２の記録動作を設定することを特徴とする請求項７に記載の電子機器。
【請求項９】
前記設定手段は、前記比較結果として前記第１および第２の記録媒体のうち一方の記録容量と他方の記録容量との差が所定量より大きいときは、前記第２の記録動作の設定を禁止することを特徴とする請求項７に記載の電子機器。
【請求項１０】
前記設定手段は、前記比較結果として前記第１および第２の記録媒体のうち一方の記録容量と他方の記録容量との差が所定量より小さいときは、前記第２の記録動作を設定することを特徴とする請求項７に記載の電子機器。
【請求項１１】
前記設定手段は、前記設定を禁止したときは警告動作を行うことを特徴とする請求項４又は９に記載の電子機器。
【請求項１２】
請求項１から１１のいずれか１つに記載の電子機器であって、
被写体像を光電変換する撮像素子を有し、
前記画像データ取得手段は、前記撮像素子を用いて画像データを取得することを特徴とする撮像装置。
【請求項１３】
取得した画像データを第１の媒体装着手段に装着された第１の記録媒体と第２の媒体装着手段に装着された第２の記録媒体のうち一方に記録する第１の記録動作と、前記取得した画像データを前記第１および第２の記録媒体の双方に記録する第２の記録動作とを制御するコンピュータに実行させるための制御プログラムであって、
前記第１および第２の記録動作のうち実行する記録動作を設定する設定ステップと、
前記第１および第２の媒体装着手段のそれぞれに前記記録媒体が装着されているか否かを検出する検出ステップとを有し、
前記設定ステップにおいて、前記検出ステップによる検出状態に応じて前記記録動作の設定を制御することを特徴とする制御プログラム。
【請求項１４】
前記記録動作の設定後に前記検出状態が変化したときに、前記設定ステップにより、該変化後の検出状態に応じて前記記録動作の設定を制御することを特徴とする請求項１３に記載の制御プログラム。
【請求項１５】
前記設定ステップにおいて、前記検出ステップにより前記第１および第２の媒体装着手段のうち一方に前記記録媒体が装着されていることが検出されたときは、前記第１の記録動作を設定することを特徴とする請求項１３又は１４に記載の制御プログラム。
【請求項１６】
前記設定ステップにおいて、前記検出ステップにより前記第１および第２の媒体装着手段のうち一方に前記記録媒体が装着されていることが検出されたときは、前記第２の記録動作の設定を禁止することを特徴とする請求項１４又は１５に記載の制御プログラム。
【請求項１７】
前記設定ステップにおいて、前記検出ステップにより前記第１および第２の媒体装着手段の双方に前記第１および第２の記録媒体が装着されていることが検出されたときは、使用者による前記記録動作の設定を許可することを特徴とする請求項１４又は１５に記載の制御プログラム。
【請求項１８】
前記設定ステップにおいて、前記検出ステップにより前記第１および第２の媒体装着手段の双方に前記第１および第２の記録媒体が装着されていることが検出された場合において、前記第１および第２の記録媒体のうち少なくとも一方が磁気記録媒体であるときは、前記第２の記録動作を設定することを特徴とする請求項１４又は１５に記載の制御プログラム。
【請求項１９】
前記設定ステップにおいて、前記検出ステップにより前記第１および第２の媒体装填手段の双方に前記第１および第２の記録媒体が装着されていることが検出された場合に、前記第１および第２の記録媒体を比較し、該比較結果に応じて前記記録動作の設定を制御することを特徴とする請求項１４又は１５に記載の制御プログラム。
【請求項２０】
前記設定ステップにおいて、前記比較結果として前記第１および第２の記録媒体のうち一方が他方と異なる種類の記録媒体であるときは、前記第２の記録動作を設定することを特徴とする請求項１９に記載の制御プログラム。
【請求項２１】
前記設定ステップにおいて、前記比較結果として前記第１および第２の記録媒体のうち一方の記録容量と他方の記録容量との差が所定量より大きいときは、前記第２の記録動作の設定を禁止することを特徴とする請求項１９に記載の制御プログラム。
【請求項２２】
前記設定ステップにおいて、前記比較結果として前記第１および第２の記録媒体のうち一方の記録容量と他方の記録容量との差が所定量より小さいときは、前記第２の記録動作を設定することを特徴とする請求項１９に記載の制御プログラム。
【請求項２３】
前記設定ステップにおいて、前記設定を禁止したときは警告動作を行うことを特徴とする請求項１６又は２１に記載の制御プログラム。
【発明の詳細な説明】
【技術分野】
【０００１】
本発明は、複数の記録媒体の装着が可能な電子機器、撮像装置およびこれらを制御するための制御プログラムに関するものである。
【背景技術】
【０００２】
複数の記録媒体が装着ないし装着可能で、撮像した画像データを該複数の記録媒体のそれぞれに記録する複数記録モードを有する撮像装置が提案されている（特許文献１参照）。
【０００３】
この撮像装置は、画像データを単一の記録媒体に書き込む通常記録モードと、撮影画像データを複数の記録媒体に書き込む複数記録モードとを有している。そして、記録モードは、撮影前に使用者による所定の操作によって設定される。
【特許文献１】特開平７−２３１４２０号公報（段落００１９〜００２０、図２等）
【発明の開示】
【発明が解決しようとする課題】
【０００４】
しかしながら、上記撮像装置においては、記録モードを設定した後に、記録媒体の着脱が行われ、その装着状態が変化した場合の対応までは考えられていない。このため、複数記録モードが設定された後、いずれかの記録媒体が取り外された場合には、複数記録モードで画像データを記録できなくなるといった不具合が生じる。
【０００５】
また、通常記録モードでの記録媒体がとして、データ保存の信頼性が半導体メモリよりも低い磁気記録媒体（ハードディスク装置等）を通常記録モードでの記録媒体に設定した場合、撮影した画像データの喪失の可能性が高くなることが懸念される。
【０００６】
本発明は、記録媒体の装着状態若しくは記録媒体の種類に応じて適切な記録モードを自動的に設定できるようにした電子機器および撮像装置を提供することを目的としている。
【課題を解決するための手段】
【０００７】
上記の目的を達成するために、本発明の電子機器は、それぞれ記録媒体の装着が可能な第１および第２の媒体装着手段と、画像データを取得する画像データ取得手段と、該取得した画像データを第１の媒体装着手段に装着された第１の記録媒体および第２の媒体装着手段に装着された第２の記録媒体のうち一方に記録する第１の記録動作と、該取得した画像データを第１および第２の記録媒体の双方に記録する第２の記録動作とを行う記録手段と、第１および第２の記録動作のうち前記記録手段に行わせる記録動作を設定する設定手段と、第１および第２の媒体装着手段のそれぞれに記録媒体が装着されているか否かを検出する検出手段とを有する。そして、設定手段は、検出手段による検出状態に応じて上記記録動作の設定を制御する。
【０００８】
また、上記設定手段は、記録動作を設定した後、上記検出状態が変化したときは、該変化後の検出状態に応じて記録動作の設定を再制御するようにしてもよい。
【発明の効果】
【０００９】
本発明によれば、記録媒体の装着状態に応じて、適切な記録動作が自動的に設定されるので、使用者の意図を適切に反映でき、かつ、データ喪失などの事故を未然に防ぐことができる。
【００１０】
例えば、第１および第２の記録媒体の双方が装着されていた場合にのみ第２の記録動作を設定可能にするので、１つしか記録媒体が装着されていないにもかかわらず使用者が間違えて第２の記録動作を設定し、これが確定してしまうことを未然に防止できる。
【００１１】
また、記録動作を設定した後、記録媒体の装着状態が変化したときは、該変化後の装着状態に応じて記録動作の設定を再制御する（再設定する）ようにすることにより、記録動作の設定後に記録媒体を取り外したり装着したりした場合でも、適切な記録動作が設定される。
【００１２】
さらに、第１および第２の記録媒体のうち少なくとも一方が磁気記録媒体であるときに第２の記録動作を設定することにより、比較的データ保存の信頼性の低い記録媒体を用いた場合でも、データ喪失の可能性を低くすることができる。
【００１３】
また、第１および第２の記録媒体の比較結果に応じて記録動作の設定を制御することにより、装着された第１および第２の記録媒体の種類、記録容量の異同等に応じて適切な記録動作が設定される。
【００１４】
また、第１若しくは第２の記録動作の設定を禁止したときに警告動作を行うことにより、使用者に希望する記録動作の設定ができないことを明確に認識させることができる。
【発明を実施するための最良の形態】
【００１５】
以下、本発明に好適な実施例について図面を参照しながら説明する。なお、以下の実施例では、撮像素子（ＣＣＤセンサ、ＣＭＯＳセンサ等）を用いて画像データを生成する機能を有する装置を撮像装置と呼ぶ。つまり、以下の実施例における撮像装置は、デジタルカメラ、デジタルビデオカメラ、カメラ付き携帯電話等の装置を含む。
【実施例１】
【００１６】
図４は本発明の実施例１における撮像装置の上面の構成を示す図であり、図５は同撮像装置の背面の構成を示す図である。
【００１７】
図４および図５において、１は撮像装置、２はファインダー観察用の接眼窓である。３はＡＥ（自動露出）ロックボタン、４はＡＦ（オートフォーカス）の測距点選択ボタンである。５は撮像装置１を縦位置に構えたときに使用する縦位置用ＡＥ（自動露出）ロックボタンで、ＡＥロックボタン３と同一の機能を有する。
【００１８】
６は撮像装置１を縦位置に構えたときに使用する縦位置用の測距点選択ボタンで、測距点選択ボタン４と同一の機能を有する。
【００１９】
７は撮影操作を行うためのレリーズボタンであり、第１ストローク操作でＳＷ１がオンし、第２ストローク操作でＳＷ２がオンする構成となっている。
【００２０】
８はメイン電子ダイヤルで、他の操作ボタンと併用して、カメラに数値を入力したり、撮影モードを切り換えたりすることが可能となる。
【００２１】
９は撮影モード選択ボタン、１０はＡＦモード選択ボタンである。１１は測光モード選択ボタンで、調光補正ボタンも兼ねている。
【００２２】
１２は撮影条件等を表示する外部表示機能を備えた液晶表示パネルからなる外部表示器である。なお、外部表示器１２の表示内容については後述する。
【００２３】
１３は外部液晶器１２の裏面に設置されている不図示のバックライト照明装置をオン／オフするための表示パネル照明ボタンである。１４は露出の補正を行うための露出補正ボタンである。
【００２４】
図５において、１５は不図示のアイピースシャッターを駆動させるための、アイピースシャッターレバーである。このアイピースシャッターレバー１５を時計回り方向に回動させることにより、不図示のアイピースシャッターが接眼窓２を覆い、接眼窓からの光の入射を防ぐことができる。
【００２５】
１６は視度の調整を行うための、視度補正ダイヤルである。この視度補正ダイヤル１６を回転させることにより、不図示の視度補正レンズが駆動し、視度調整を行うことができる。
【００２６】
１７はメイン電子ダイヤル８と同様の機能を備えた、サブ電子ダイヤルである。撮影モード選択ボタン９とメイン電子ダイヤル８によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００２７】
１８はこのサブ電子ダイヤル１７による入力機能をロックするダイヤルロックスイッチ、１９は本撮像装置の全ての動作を禁止するメインスイッチである。
【００２８】
２０は撮影された画像を表示する際や本撮像装置の設定状態などを表示するカラー液晶ディスプレイを有する表示部（以下、ＬＣＤ）である。
【００２９】
なお、本実施例におけるＬＣＤ２０は透過型液晶を用いているため、ＬＣＤ２０の駆動だけでは画像を視認することはできない。このため、その裏面には不図示のバックライト照明が設けられている。
【００３０】
２１は画像を記録するための記録媒体が挿入されているメモリスロットを選択するためのメモリスロット選択ボタンである。メモリスロット選択ボタン２１を押した後、サブ電子ダイヤル１７を回転させることにより、記録媒体の選択を行うことができる。
【００３１】
２２はカメラの初期設定を行う際に各種モードを選択するためのメニューボタンである。各モードを選択する時は、このメニューボタン２２を押しながらサブ電子ダイヤル１７を回転させて希望のモードを選択する。希望のモードが選択された時、メニューボタン２２を離すと選択が完了する。その後、選択したモードの機能をオン／オフするためには、選択ボタン２３を押しながらサブ電子ダイヤル１７を回転してオン／オフのどちらかを選択後、選択ボタン２３を離すことで選択が完了する。
【００３２】
２４は記録媒体内に記録されている画像データ（画像ファイル）を、ＬＣＤ２０に表示させるためのディスプレイボタンである。ディスプレイボタン２４を押しながらサブ電子ダイヤル１７を回転させることで、画像ファイルが順次ＬＣＤ２０に表示され、希望の画像を選択した後ディスプレイボタン２４を離すことで選択が完了し、ＬＣＤ２０に表示される。
【００３３】
２５は記録媒体に記録されている画像ファイルを消去するための消去ボタンで、ディスプレイボタン２３とサブ電子ダイヤル１７にて画像を選択した後、消去ボタン２５を押すことで、該画像データの消去が可能である。
【００３４】
２６は撮影した画像ファイルの圧縮率や画像サイズなどを選択する記録画質選択ボタンである。メニューボタン２２とサブ電子ダイヤル１７とで画質変更モードを選択した後、この記録画質選択ボタン２６とサブ電子ダイヤル１７にて希望の圧縮率や画像サイズを選択し、記録画質選択ボタン２６を離すことで選択が完了する。
【００３５】
２７は予め不図示のメモリに記憶されているホワイトバランス調整値を選択するためのホワイトバランス選択ボタンである。メニューボタン２２とサブ電子ダイヤル１７とでホワイトバランス変更モードを選択した後、ホワイトバランス選択ボタン２７とサブ電子ダイヤル１７にて希望のホワイトバランス調整値を選択し、ホワイトバランス選択ボタン２７を離すことで選択が完了する。
【００３６】
２８はメモリスロットカバー開閉つまみで、このメモリスロットカバー開閉つまみ２８を反時計回り方向に回すことで、メモリスロットカバー２９が開放され、記録媒体の装着や中に収納されている記録媒体の取り外しを行うことが可能となる。
【００３７】
３０はアクセスランプで、装着されている記録媒体に撮影した画像ファイルを書き込む時や、記録媒体に書き込まれた画像ファイルを読み出す場合など、記録媒体にアクセス中であるときに点滅する。
【００３８】
さらに、本撮像装置に搭載されたアクセスランプ３０は、２つの異なる色での発光が可能である。これにより、２つの記録媒体が装着されているときは、アクセスしている記録媒体によってアクセスランプ３０の色を変えることできるので、撮影者はどちらの記録媒体へアクセスしているかを確認することができる。
【００３９】
３１は撮像装置１のグリップ部内に配置されている第１のメモリスロット（第１の媒体装着部）である。３３は第１のメモリスロット３１に装着されている第１の記録媒体を取り外すために操作される第１のカード取り外しボタンである。
【００４０】
３２は、撮像装置１のグリップ部内に配置されている第２のメモリスロット（第２の媒体装着部）である。３３は第２のメモリスロット３２に装着されている第２の記録媒体を取り外すために操作される第２のカード取り外しボタンである。
【００４１】
３５は本撮像装置を駆動するための電源電池である。なお、本実施例の撮像装置は、一眼レフタイプの撮像装置であり、後述する撮影レンズが不図示のマウントを介して装着されることにより、撮像が可能となる。
【００４２】
次に図６を用いて、外部表示器１２の表示内容について説明する。図６において、１２ａは設定されている撮影モードを表示する指標であり、図６においてはマニュアルモード（Ｍ）が設定されている状態を表示している。
【００４３】
１２ｂは、絞り値を表示する７セグメントであり、１２ｃはシャッタースピードを表示する７セグメントである。
【００４４】
１２ｄは撮影可能枚数を表示する７セグメントであり、１２ｈは現在書き込みを行っているメモリカードを表示する指標である。
【００４５】
なお、本撮像装置においては、コンパクトフラッシュ（登録商標）（以下、ＣＦとも記載する）とＳＤメモリカード（以下、ＳＤとも記載する）の２種類のメモリカードの装着が可能であるように構成されている。また、コンパクトフラッシュ（登録商標）が装着されるメモリスロットには、マイクロドライブ（磁気記録媒体の一例）も装着可能である。そして、両方のメモリカードに対して同様の画像ファイルを同時に記録する「複数記録モード」（第２の記録動作）と、どちらか一方のメモリカードにだけ画像ファイルの記録を行う「通常記録モード」（第１の記録動作）とを備えている。
【００４６】
「複数記録モード」が選択されているときは、指標１２ｈに「ＣＦ」・「ＳＤ」の両方を表示して、７セグメント１２ｄには、記録できる容量が少ない方のメモリカードの撮影可能枚数を表示する。
【００４７】
また、「通常記録モード」が選択されているときには、指標１２ｈに書き込みを行うメモリカードが表示される（「ＣＦ」・「ＳＤ」のどちらか一方が表示される）。また、そのとき、７セグメント１２ｄには、選択されたメモリカードの撮影可能枚数が表示される。
【００４８】
１２ｅはＡＦモードの状態を表示する指標であり、１２ｆはドライブモードの状態を表示する指標である。１２ｇは露出補正量をドットにて表示する指標であり、１ドットは１／３段を表している。１２ｊは電源電池３５の残り容量の目安を表示する指標であり、１２ｋは測光モードの状態を表示する指標である。
【００４９】
図７には、本実施例の撮像装置の内部構成を示している。本実施例の撮像装置は、不図示のマウントを介して撮像装置１に装着された撮影レンズ１５０を駆動するレンズ駆動回路１２２、メカニカルシャッターユニット１２１、固体撮像素子１００、アナログ信号処理回路１０１、Ａ／Ｄ変換器１０２、メイン信号処理回路１０３、メモリ１０８、Ｄ／Ａ変換器１０９、ＬＣＤ２０を駆動する外部映像表示回路１１０、圧縮／解凍回路１１２、メモリカード１１４，１１６を装着するメモリスロット１１３，１１５、コントロール回路１２０およびＣＰＵ（中央演算処理回路）１１７等から構成されている。なお、固体撮像素子１００、アナログ信号処理回路１０１、Ａ／Ｄ変換器１０２およびメイン信号処理回路１０３により、データ取得手段が、圧縮／解凍回路１１２およびＣＰＵ１１７により記録手段が、ＣＰＵ１１７により設定手段が構成される。
【００５０】
１４３はメインスイッチ１９の操作によってオン／オフされるメインスイッチであり、本撮像装置の全ての動作の作動・非作動を設定する。
【００５１】
１４２はダイヤルロックスイッチ１８の操作によってオン／オフされるサブ電子ダイヤルスイッチであり、サブ電子ダイヤル１７による入力機能を作動・非作動を設定する。
【００５２】
１２６はレリーズボタン７の第１ストローク操作によりオンする第１スイッチ（ＳＷ１）である。１２７はレリーズボタン７の第２ストローク操作によりオンする第２スイッチ（ＳＷ２）である。第１スイッチ１２６がオンされると、測光および合焦制御が行われ、第２スイッチ１２７がオンされるとレリーズ動作（撮像および記録動作）が開始される。
【００５３】
１２８はメイン電子ダイヤル８の回転に連動して信号を発生するメイン電子ダイヤルスイッチである。このメイン電子ダイヤルスイッチ１２８は、メイン電子ダイヤル８の回転で、例えば９０°位相のずれた２ビットの信号をスイッチセンス回路に送る。これにより、メイン電子ダイヤル８の回転方向と回転クリック数が検出される。この回転方向と回転クリック数を検出することで、他の操作ボタンと併用して、ＣＰＵ１１７に数値を入力したり、撮影モードを切り換えたりすることが可能となる。
【００５４】
１２９はサブ電子ダイヤル１７の回転に連動して信号を発生するサブ電子ダイヤルスイッチである。このサブ電子ダイヤルスイッチ１２９は、サブ電子ダイヤル１７の回転で、例えば９０°位相のずれた２ビットの信号をスイッチセンス回路に送る。これにより、サブ電子ダイヤル１７の回転方向と回転クリック数が検出される。この回転方向と回転クリック数を検出することで、他の操作ボタンと併用して、ＣＰＵ１１７に数値を入力したり、撮影モードを切り換えたりすることが可能となる。
【００５５】
１４７はＡＥロックボタン３（又は縦位置用ＡＥロックボタン５）を押し込むことによってオンするＡＥ（自動露出）ロックスイッチである。１４８は測距点選択ボタン４（又は縦位置用測距点選択ボタン６）を押し込むことによってオンする測距点選択スイッチである。
【００５６】
１４９は撮影条件等を表示する外部表示機能を備えた外部表示器１２を駆動する外部表示回路である。
【００５７】
ＬＣＤ２０を駆動して撮影画像を表示させる外部映像表示回路１１０には、画像の表示以外にメモリスロット選択ボタン２１、メニューボタン２２、選択ボタン２３、ディスプレイボタン２４の操作に応じて対応するメニュー・設定項目・選択項目等が表示される。
【００５８】
撮影レンズ１５０は、被写体像を撮像素子１００の撮像面に結像させる。本実施例では、撮影レンズ１５０は、撮像装置１に着脱可能に構成されている。なお、図７では簡略化してあるが、撮影レンズ１５０は、１枚または複数枚のレンズで構成され、単一の焦点距離（固定焦点）のレンズでもよいし、ズームレンズやステップズームレンズ等のように焦点距離可変のレンズでもよい。また、本発明は、撮影レンズが撮像装置に一体的（着脱不可）に設けられた撮像装置にも適用することができる。
【００５９】
１２２は撮影レンズ１５０のフォーカス駆動やズーム駆動を行うためのレンズ駆動回路である。１５１は露出制御を行うための絞りである。１２３は絞り１５１を駆動するための絞り駆動回路である。
【００６０】
１４５は撮影モード選択ボタン９を押し込むことによってオンする撮影モード選択スイッチ、１４４はＡＦモード選択ボタン１０を押し込むことによってオンするＡＦモード選択スイッチ、１４６は測光モード選択ボタン１１を押し込むことによってオンする測光モード選択スイッチである。この測光モード選択スイッチ１４６は、調光補正スイッチも兼ねている。
【００６１】
例えば、撮影モード選択ボタン９を押しながらメイン電子ダイヤル８を回転させると、Ｔｖ優先→Ａｖ優先→マニアル→プログラム→Ｔｖ優先→Ａｖ優先→マニアル→プログラム…と撮影モードが変更され、撮影者の意図する撮影モードを設定することができる。
【００６２】
また、メイン電子ダイヤル８を逆回転させたときは、プログラム→マニアル→Ａｖ優先→Ｔｖ優先→プログラム→…とモードは変更される。また、撮影モード選択ボタン９とメイン電子ダイヤル８によりＴｖ優先が撮影モードとして設定されている場合には、メイン電子ダイヤル８を回転させることにより撮影者の希望するＴｖ値を設定することができる。また、撮影モード選択ボタン９とメイン電子ダイヤル８によりＡｖ優先が撮影モードとして設定されている場合には、メイン電子ダイヤル８を回転させることにより撮影者の希望とするＡｖ値を設定することができる。
【００６３】
測光モード選択ボタン１１とＡＦ選択モードボタン１０を同時に押し込んだ状態でメイン電子ダイヤル８を操作すると、撮像時の撮像感度を変更することができる。
【００６４】
測光モード選択ボタン１１と撮影モード選択ボタン９を同時に押し込んだ状態でメイン電子ダイヤル８を操作すると、単写・連写・セルフタイマーの何れかからドライブモードを選択することができる。
【００６５】
撮影モード選択ボタン９とＡＦモード選択ボタン１０を同時に押し込んだ状態でメイン電子ダイヤル８を操作すると、ＡＥＢ（オート露出ブラケット）撮影モードのブラケット段数を設定することができる。
【００６６】
１３９は表示パネル照明ボタン１３を押し込むとオンする表示パネル照明スイッチである。この表示パネル照明スイッチ１３９がオンすると、外部表示器１２のバックライト照明が行われ、暗闇でも表示内容を読み取り可能な状態にする。
【００６７】
１３８は露出補正ボタン１４を押し込むとオンする露出補正スイッチである。この露出補正スイッチ１３８をオンした状態でメイン電子ダイヤル８を操作すると、露出補正値を設定することができる。
【００６８】
１３５はメモリスロットカバー２９の開閉に応じてオン／オフするスロットカバー開閉検出スイッチである。１３０はメモリスロット選択ボタン２１を押し込むとオンするスロット選択スイッチである。メモリスロット選択ボタン２１を押し込み、スロット選択スイッチ１３０をオンさせた状態でサブ電子ダイヤル１７を操作することによって、撮像により得られた画像データの保存先・再生データの取得先・データの管理先のメモリスロットを選択することができる。メモリスロット１１３には、メモリカード１１４が着脱自在に装着される。
【００６９】
１３６はスロット１カード検出スイッチで、メモリスロット１１３にメモリカード１１４が装着されたときにオンする。
【００７０】
メモリスロット１１５には、メモリカード１１６が着脱自在に装着される。１３７はスロット２カード検出スイッチで、メモリスロット１１５にメモリカード１１６が装着されたときにオンする。
【００７１】
メニュースイッチ１３１は、メニューボタン２２を押し込むとオンするスイッチである。メニューボタン２２を押し込み、メニュースイッチ１３１をオンし、サブ電子ダイヤル１７を操作することで、設定項目を選択することができる。このときの設定項目の表示は、ＬＣＤ２０にて行われる。
【００７２】
ＳＥＬＥＣＴ（選択）スイッチ１３２は、選択ボタン２３を押し込むとオンするスイッチである。選択ボタン２３を押し込み、ＳＥＬＥＣＴ（選択）スイッチ１３２をオンさせ、サブ電子ダイヤル１７を操作することで、メニューボタン２２で選択した設定項目の設定値を変更することができる。このとき、設定項目の設定値の表示は、ＬＣＤ２０にて行われる。
【００７３】
ディスプレイスイッチ１３３は、ディスプレイボタン２４を押し込むとオンするスイッチである。ディスプレイボタン２４を押し込み、ディスプレイスイッチ１３３をオンさせると、ＬＣＤ２０にメモリカードに入っている画像が表示される。
【００７４】
消去スイッチ１３４は、消去ボタン２５を押し込むとオンするスイッチである。ＬＣＤ２０に画像が表示されているときに消去ボタン２５を押し込み、消去スイッチ１３４をオンさせると、表示されている画像データをメモリカード上から削除することができる。また、消去スイッチ１３４をオンさせたままの状態で保持すると、ＬＣＤ２０にメモリカードに保存された画像データを一括消去するかどうか問い合わせるメニューが表示される。このとき、サブ電子ダイヤル１７を操作して、一括消去を選択し、消去ボタン２５を解放して消去スイッチ１３４をオフさせると、メモリカード内の画像データを一括消去することができる。
【００７５】
１２４は測光回路で、不図示のフォーカシングスクリーンに結像された被写体像の輝度を、不図示の光学部材を介して測定する。この測光装置１２４の出力信号に基づいて露光時の露出制御が行われる。
【００７６】
１２５は焦点検出回路で、該焦点検出回路１２５の出力信号に基づいて撮影レンズ１５０のレンズ駆動回路１２２を制御し、撮影レンズ１５０にて焦点調節を行う。
【００７７】
１２１はメカニカルシャッターユニットで、被写体からの光束の撮像面への入射時間を機械的に制御する。このメカニカルシャッターユニット１２１は、ファインダー観察時には被写体光束を遮光し、撮影時にはレリーズ信号に応じて被写体光束の光路から退避して露光を開始させる先羽根群と、ファインダー観察時に被写体光束の光路から退避し、撮影時には先羽根群の走行（駆動）開始後の所定のタイミングで被写体光束を遮光する後羽根群とを有するフォーカルプレーンシャッターである。
【００７８】
１００は固体撮像素子で、撮影レンズ１５０により結像した被写体像を光電変換して電気信号を出力する。この固体撮像素子１００としては、２次元型撮像デバイスが用いられている。この撮像デバイスには、ＣＣＤ型、ＣＭＯＳ型、ＣＩＤ型等、様々な形態があり、いずれの形態の撮像デバイスを採用してもよい。本実施例においては、光電変換素子（フォトセンサ）が２次元的に配置され、各フォトセンサで蓄積された信号電荷が垂直転送路および水平転送路を介して出力されるインターライン型ＣＣＤ（電荷結合素子）の撮像素子が採用されている。
【００７９】
また、固体撮像素子１００は、各フォトセンサに蓄積される電荷の蓄積時間（シャッター秒時）を制御する、いわゆる電子シャッター機能を有している。
【００８０】
撮影レンズ１５０を透過してきた被写体光束は、絞り駆動回路１２３によって駆動される絞り１５１とメカニカルシャッターユニット１２１とでその光量が調整され、固体撮像素子１００上に投影結像される。このとき、固体撮像素子１００は、コントロール回路１２０を介して電荷の蓄積時間が制御される。固体撮像素子１００の受光面（撮像面）に結像した被写体像は、各フォトセンサで光の入射光量に応じた量の信号電荷に変換され、撮像出力信号として順次読み出された後、アナログ信号処理回路１０１に供給される。
【００８１】
アナログ信号処理回路１０１は、ＣＤＳクランプ回路やゲイン調整回路等を含み、固体撮像素子１００から入力した撮像出力信号（アナログ電気信号）をコントロール回路１２０の制御に基づいて適宜処理する。
【００８２】
アナログ信号処理回路１０１から出力された信号は、Ａ／Ｄ変換器１０２によってデジタル信号に変換された後、メイン信号処理回路１０３へ送られる。
【００８３】
メイン信号処理回路１０３は、ゲイン調整回路１０４、オフセット回路１０５、ヒストグラム生成回路１０７およびデジタル信号処理回路１０６等からなる。Ａ／Ｄ変換器１０２から出力されたデータは、ゲイン調整回路１０４およびオフセット回路１０５を経由して、ヒストグラム生成回路１０７およびデジタル信号処理回路１０６へ送られる。
【００８４】
ヒストグラム生成回路１０７は、Ａ／Ｄ変換器１０２から送られた１画面分のデータから信号レベルに対する撮像出力信号の積算値の分布を示すヒストグラムを作成する。そして、このヒストグラム演算に基づいてゲイン値やオフセット値が決定され、ＣＰＵ１１７からコントロール回路１２０を介してゲインおよびオフセットが制御される。
【００８５】
このように、ゲインとオフセットのコントロールを経由した信号は、デジタル信号処理回路１０６に送られる。デジタル信号処理回路１０６は、輝度（Ｙ）信号生成回路および色差（Ｃ）信号生成回路を含み、オフセット回路１０５から入力した信号をＹ／Ｃ信号処理する。そして、デジタル信号処理回路１０６でＹ／Ｃ信号処理された画像データは、メモリ１０８に一時記憶される。
【００８６】
このメモリ１０８に記憶された画像データはデコードされた後、Ｄ／Ａ変換器１０９でアナログ信号に変換され、外部映像表示回路１１０に供給される。こうして、ＬＣＤ２０には、固体撮像素子１００で捉えた映像が表示される。このＬＣＤ２０には、レリーズボタン７の操作によりオンするレリーズスイッチ（ＳＷ２）１２７によって発せられる撮影開始信号に基づいて撮影した静止画が表示される。
【００８７】
なお、Ｄ／Ａ変換器１０９でアナログ信号に変換された信号は、不図示のビデオ出力端子等から外部映像出力１１１として取り出すことができる。
【００８８】
また、撮影開始信号の入力に応じて取得された撮像画像データは、メモリ１０８から圧縮／解凍回路１１２に導かれ、ここで所定の形式（例えば、ＪＰＥＧ）に従って圧縮処理された後、記録媒体としてのメモリカード１１４もしくはメモリカード１１６に記録される。
【００８９】
なお、本実施例では、コンパクトフラッシュ（登録商標）、マイクロドライブ、ＳＤメモリカードが記録媒体として用いられるが、スマートメディアやＩＣカード等、種々の形態の記録媒体を使用していもよい。
【００９０】
メモリカード１１４もしくはメモリカード１１６に記録された画像データは、ＣＰＵ１１７を介して読み出しが可能であり、該読み出された画像データは、圧縮／解凍回路１１２で解凍再生処理された後、メモリ１０８、Ｄ／Ａ変換器１０９を介して外部映像表示回路１１０に出力され、ＬＣＤ２０に表示される。また、不図示のビデオ信号出力端子等に供給され、他の外部機器にも出力可能である。
【００９１】
ＣＰＵ１１７は、該撮像装置内のコンピュータとしての機能を有し、測光回路１２４、焦点検出回路１２５、コントロール回路１２０、ヒストグラム生成回路１０７、デジタル信号処理回路１０６、メモリ１０８、メモリカード１１４、メモリカード１１６および各スイッチと接続されており、内蔵されたメモリに格納されたプログラムに従って、露出値や撮影レンズ１５０の焦点位置等の各種演算を行ったり、自動露光制御、オートフォーカス、オートストロボ、オートホワイトバランス等の制御を行ったり、後述する画像データの記録および再生制御を行ったりする。
【００９２】
また、ＣＰＵ１１７は、レリーズボタン７やメイン電子ダイヤル８，サブ電子ダイヤル１７，撮影モード選択ボタン９、ＡＦモード選択ボタン１０および測光モード選択ボタン１１等の操作部から入力される各種信号に基づいて、対応する回路を制御する。特に、本実施例では、ＣＰＵ１１７は、「通常記録モード」と「複数記録モード」の設定を自動的に行うために、該設定を制御する。このため、ＣＰＵ１１７内には、記録モード設定制御のためのプログラムが格納されている。
【００９３】
測光回路１２４の出力信号は、ＣＰＵ１１７に送られ、このＣＰＵ１１７において露光時間を示す露出制御値が算出される。そして、得られた露出制御値は、ＣＰＵ１１７からコントロール回路１２０に送られ、該コントロール回路１２０を介して自動露光制御、オートストロボ、オートホワイトバランス等の制御が行われる。
【００９４】
温度センサ１１９は撮像装置１の温度を測定するセンサである。ブザー１２８は、主に撮影時の警告などに用いられる。
【００９５】
１５２はメモリカード１１４もしくはメモリカード１１６へのアクセス状態を表示するためのＬＥＤであり、２色発光タイプとなっている。これは図２にて示されたアクセスランプ３０に配置されている。
【００９６】
コントロール回路１２０は、ＣＰＵ１１７から送られた露出制御値に基づいて固体撮像素子１００の駆動回路を制御する。具体的には、電子シャッター制御モード時には、固体撮像素子１００の電荷蓄積時間を、メカニカルシャッター制御モード時には、メカニカルシャッターユニット１２１の開閉タイミング等を制御する。また、露光時には、絞り駆動回路１２６を制御する。
【００９７】
次に、図２を用いて、本実施例の撮像装置における記録モード設定シーケンス（プログラム）について説明する。まず、ＣＰＵ１１７は、ステップＳ１０１で、メモリスロット選択ボタン２１が押し込まれ、スロット選択スイッチ１３０がオンしたかどうかを判別する。スロット選択スイッチ１３０がオンしていれば、ステップＳ１０２に進む。
【００９８】
スイッチＳ１０２では、メモリカードの装着状態の検出を行う。メモリカードの装着状態の検出は、スロット１カード検出スイッチ１３６、スロット２カード検出スイッチ１３７の状態を検出することによって行われる。スロット１カード検出スイッチ１３６がオンしていれば、メモリスロット１１３にメモリカード１１４が装着されている。また、スロット２カード検出スイッチ１３７がオンしていれば、メモリスロット１１５にメモリカード１１６が装着されている。本ステップでは、両方のカード検出スイッチ１３６，１３７がオンしていれば、「複数記録モード」の設定を許可し、ステップＳ１０３に進む。一方のカード検出スイッチしかオンしていなければ、「複数記録モード」の設定を禁止し、ステップS１０４に移行する。
【００９９】
ステップＳ１０３では、サブ電子ダイヤルステップ１２９の入力状況に応じて、「複数記録モード」もしくは「通常記録モード」を設定し、ステップＳ１０４でスロット選択スイッチ１３０がオフしているか否かを判別する。スロット選択スイッチ１３０がオフしていれば、本シーケンスを終了する。
【０１００】
次に、図３を用いて、本実施例の撮像装置における撮影シーケンスについて説明する。まず、ＣＰＵ１１７は、ステップＳ２００で、メインスイッチレバー１９が操作された結果、メインステップ１４３がオンされると、撮像装置は撮影のためのスタンバイ状態になる。
【０１０１】
次に、ステップＳ２０１において、レリーズボタン７の第１ストローク操作によってレリーズスイッチＳＷ１（１２６）がオンになると、次のステップＳ２０２にて、測光回路１２４による測光を行うとともに、ステップＳ２０３にて、焦点検出回路１２５による焦点検出とを行う。そして、ステップＳ２０４では、ステップＳ２０３での焦点検出結果に基づいて撮影レンズ１５０におけるフォーカスレンズの駆動量を演算し、これをレンズ駆動回路１２２に送信することで、オートフォーカス駆動を行わせる。
【０１０２】
次に、ステップＳ２０５では、ステップＳ２０２での測光結果に基づいて露出制御値を決定する。
【０１０３】
次に、ステップＳ２０６では、レリーズボタン７の第２ストローク操作によってレリーズスイッチＳＷ２（１２７）がオンすると、撮像動作に入る。すなわち、ステップＳ２０７では、ＣＰＵ１１７はコントロール回路１２０に露出制御値を送る。コントロール回路１２０は、固体撮像素子１００の電荷蓄積動作を開始させるとともに、ステップＳ２０８でメカニカルシャッターユニット１２１に先幕走行開始信号を出力し、先羽根群（先幕）の開放駆動を開始させる。次のステップＳ２０９では、固体撮像素子１００への露光と該露光光の電荷蓄積が行われる。
【０１０４】
そして、次のステップＳ２１０では、コントロール回路１２０は、先のステップＳ２０７でＣＰＵ１１７から送られた露出制御値に基づき決定したＴｖ値に応じたタイミングでメカニカルシャッターユニット１２１に後幕走行開始信号を出力し、後羽根群の遮蔽駆動を開始させる。こうして、先羽根群と後羽根群による固体撮像素子１００への露光動作を終了する。
【０１０５】
メカニカルシャッターユニット１２１における後幕走行の終了後も、固体撮像素子１００の電荷値蓄積動作を継続させる。この際、露光時に必要以上の光が入射することで発生するスミアの影響を除去するため、ステップＳ２１１では、固体撮像素子１００の光電変換素子に蓄積された電荷信号を垂直転送ＣＣＤへ移す前に、垂直転送ＣＣＤに漏れ込んだスミア成分を読み出す（垂直転送）。そして、このスミア成分を掃き捨てた後、ステップＳ２１２へ進む。
【０１０６】
ステップＳ２１２では、固体撮像素子１００の電荷蓄積動作を終了させ、光電変換素子に蓄積された電荷信号を垂直転送ＣＣＤへ転送するとともに、電荷信号の読み出し動作である通常読み出しを行う。
【０１０７】
次に、ステップＳ２１３では、所定の画像処理を行った後、次のステップＳ２１４で記録モードの最終設定を行う。この記録モードの最終設定については、後述する。
【０１０８】
次に、ステップＳ２１５では、ステップＳ２１４で設定された記録モードの判別を行う。設定された記録モードが「通常記録モード」であれば、ステップＳ２１６に移行する。「複数記録モード」であれば、ステップＳ２１７へ移行する。
【０１０９】
ステップＳ２１６では、メモリスロット選択ボタン２１（スロット選択スイッチ１３０）とサブ電子ダイヤル１７とで選択されたメモリカードに、先の撮像動作によって取得された画像データを記録する。これが「通常記録モード」での記録動作となる。
【０１１０】
一方、ステップＳ２１７では、メモリカード１１４およびメモリカード１１６に、取得した画像データを同時もしくは順番に記録する。以上で撮像シーケンスが終了する。
【０１１１】
次に、図１を用いて、図３のステップＳ２１４で行われる記録モードの最終設定シーケンスについて説明する。
【０１１２】
まずステップＳ３０１では、ＣＰＵ１１７は、図２の記録モード設定シーケンスで使用者によってマニュアル設定された記録モードの判別を行う。「通常記録モード」が設定されている場合はステップＳ３０２に移行し、「複数記録モード」が設定されている場合はステップＳ３０６に移行する。
【０１１３】
ステップＳ３０２では、スロット１カード検出スイッチ１３６およびスロット２カード検出スイッチ１３７を通じてメモリカードの装着状態を確認する。この段階でメモリカードの装着状態の確認を行う理由は、使用者によって記録モードがマニュアル設定された後に、メモリカードの装着や取り外しが行われる可能性があるからである。
【０１１４】
メモリカードが２つのメモリスロット１１３，１１５のうち一方だけに装着されていた場合はステップＳ３０３に進み、記録モードを「通常記録モード」に最終設定（確定）する。また、両方のスロット１１３，１１５にメモリカード１１４，１１６が装着されていた場合はステップＳ３０４に進む。
【０１１５】
ステップＳ３０４では、両スロット１１３，１１５に取り付けられているメモリカード１１４，１１６の種類を比較する。
【０１１６】
装着されているメモリカード１１４，１１６のうち一方が磁気記録媒体である場合は、ステップＳ３０９へ進む。装着されているメモリカードが両方とも電子記録式のものである場合は、ステップＳ３０５へ進み、記録モードを「通常記録モード」に最終設定（確定）する。
【０１１７】
ステップＳ３０９では、記録モードを「複数記録モード」に最終設定（確定）する。
【０１１８】
また、ステップＳ３０６では、ステップＳ３０２と同様にメモリカードの装着状態を確認する。メモリカードが２つのメモリスロット１１３，１１５のうち一方だけに装着されていた場合は、ステップＳ３０７に進み、ブザー１１８によって警告音を発する。なお、警告音に代えて又はこれとともに、ＬＣＤ２０又は外部表示器１２に警告表示を行ってもよい。一方、両方のスロット１１３，１１５にメモリカード１１４，１１６が装着されていた場合はステップＳ３０８に進む。
【０１１９】
ステップＳ３０８では、両スロット１１３，１１５に装着されているメモリカード１１４，１１６の容量および種類の比較を行う。装着されているメモリカード１１４，１１６のうち一方が磁気記録媒体である場合、若しくは両方のメモリカードがほぼ同一の記録容量（記録容量の差が所定量より小さい）を有する電子記録式のものである場合はステップＳ３０９へ進み、記録モードを「複数記録モード」に最終設定（確定）する。
【０１２０】
また、装着されているメモリカード１１４，１１６が両方とも電子記録式であるが、記録容量が異なる（記録容量の差が所定量より大きい）場合は、ステップＳ３１０へ進む。ステップＳ３１０では、ステップＳ３０７と同様に、警告動作を行う。
【０１２１】
以上説明したように、本実施例によれば、両方のメモリスロットにメモリカードが装着されていた場合にのみ、「複数記録モード」を設定可能とするので、一方のメモリスロットにしかメモリカードが装着されていないにもかかわらず、撮影者が間違えて「複数記録モード」をマニュアル設定し、これが確定してしまうことを未然に防止することができる。
【０１２２】
また、例えば「複数記録モード」をマニュアル設定した後、両メモリスロットに装着されていたメモリカードのうち１つを取り外した場合には、警告動作を行うので、撮影者が意図して設定した「複数記録モード」が実行できないまま撮像が行われてしまうことを、確実に防止することができる。
【０１２３】
また、「複数記録モード」がマニュアル設定されたが、２つのメモリカードの記録容量が異なることによって、「複数記録モード」での撮像を続けた結果、大きい記録容量のメモリカードにはまだ余裕があるのに、小さい記憶容量のメモリカードによって撮像回数が制限されるといった不具合を事前に撮影者に認識させることができる。
【０１２４】
さらに、メモリカードとして、磁気記録媒体のように、電子記録式のものに比べてデータ保存の信頼性の低い記録媒体が使用されていた場合には、自動的に「複数記録モード」が設定されるので、画像データの喪失などの事故を未然に防ぐことができる。
【実施例２】
【０１２５】
図９は、本発明の実施例２における撮像装置１とその外部に設けられた外部記録装置の一例であるパーソナルコンピュータ４０とをケーブル４１を介して接続（すなわち装着）した状態を示す図である。
【０１２６】
また、図８は、本実施例の撮像装置の一側面の構成を示す図である。図８において、３６はシンクロ端子であり、シンクロコード付きの外部ストロボユニット（図示せず）と接続することができる。３７はリモコン端子であり、コード付きのリモコンユニット（図示せず）と接続することができる。
【０１２７】
３８はデジタル端子（媒体装着部）であり、パーソナルコンピュータ４０に繋がるケーブル４１を接続することができる。これらの接続端子は、撮像装置１のグリップ部とは反対側に配置されている。
【０１２８】
本実施例の撮像装置１には、実施例１にて説明したメモリスロットにメモリカードが装着されたか否かを検出するカード検出スイッチに加えて、デジタル端子３８にケーブル４１が接続されたか否か（つまりはパーソナルコンピュータ４０が装着されたか否か）を検出するスイッチが設けられている。このため、これら検出スイッチにより検出されるメモリカードとパーソナルコンピュータの装着状態に基づいて、実施例１と同様な記録モードの設定が行われる。
【０１２９】
撮像装置１にて「複数記録モード」が設定されている場合は、撮像装置１にて取得された画像データは、撮像装置１に装着されたメモリカードに記録されるとともに、パーソナルコンピュータ４０内のハードディスク（記録媒体）に転送記録される。
【０１３０】
また、「通常記録モード」が設定されている場合は、撮像装置１にて取得された画像データは、メモリカード又はハードディスクに記録される。
【０１３１】
さらに、上記各実施例では、撮像装置について説明したが、本発明は、撮像装置以外の電子機器であって、複数の記録媒体に対するデータ記録を行えるものの全てに適用することができる。
【０１３２】
また、上記各実施例において説明したデータの記録および記録モードの設定を制御するプログラムをパーソナルコンピュータにて実行させることもできる。
【図面の簡単な説明】
【０１３３】
【図１】実施例１における撮像装置で実行される記録モード最終設定シーケンスを説明するためのフローチャート。
【図２】実施例１における撮像装置で実行される記録モード設定シーケンスを説明するためのフローチャート。
【図３】実施例１における撮像装置で実行される撮像シーケンスを説明するためのフローチャート。
【図４】実施例１における撮像装置の上面の構成を示す図。
【図５】実施例１における撮像装置の背面の構成を示す図。
【図６】実施例１における撮像装置における外部表示器の表示内容を説明する図。
【図７】実施例１における撮像装置の内部構成を示すブロック図。
【図８】実施例２における撮像装置の一側面の構成を示す図。
【図９】実施例２における撮像装置とパーソナルコンピュータ（外部記録装置の一例）とを接続した状態を示す図。
【符号の説明】
【０１３４】
１  撮像装置
２  接眼窓
３  ＡＥ（自動露出）ロックボタン
４  測距点選択ボタン
７  レリーズボタン
８  メイン電子ダイヤル
９  撮影モード選択ボタン
１０  ＡＦモード選択ボタン
１１  測光モード選択ボタン
１２  外部液晶表示装置
１７  サブ電子ダイヤル
２０  ＬＣＤ
２１  メモリスロット選択ボタン
３１  メモリスロット
３２  メモリスロット
３３，３４  カード取り外しボタン
１００  固体撮像素子
１１３  メモリスロット
１１４  メモリカード
１１５  メモリスロット
１１６  メモリカード
１１７  ＣＰＵ
１３６  スロット１カード検出ＳＷ
１３７  スロット２カード検出ＳＷ
１５０：撮影レンズ
【図１】
2005176264.tif 000003
【図２】
2005176264.tif 000004
【図３】
2005176264.tif 000005
【図４】
2005176264.tif 000006
【図５】
2005176264.tif 000007
【図６】
2005176264.tif 000008
【図７】
2005176264.tif 000009
【図８】
2005176264.tif 000010
【図９】
2005176264.tif 000011